(57)【要約】【課題】  一般のキャップ付き容器において、当該キャップ付き容器が開封抑制を必要とする場合にだけ、当該キャップ付き容器に付属させて用いられ、キャップの開封抑制を図ること。【解決手段】  開封抑制具１０であって、エラストマー製の筒状体１１からなり、容器１１０の軸方向の少なくとも一部の外周からなる容器外周部１１０Ａと、キャップ１２０の軸方向の少なくとも一部の外周からなるキャップ外周部１２０Ａの双方に跨って、それらの両外周部に弾力をもって緊着可能にされるとともに、当該弾力に抗してキャップ付き容器１００から取外し可能にされるもの。【選択図】  図２
2019116286.tif 000002
【特許請求の範囲】
【請求項１】
内容物を収容する容器と、該容器の口部に螺着したキャップとからなるキャップ付き容器に用いられる開封抑制具であって、
エラストマー製の筒状体からなり、容器の軸方向の少なくとも一部の外周からなる容器外周部と、キャップの軸方向の少なくとも一部の外周からなるキャップ外周部の双方に跨って、それらの両外周部に弾力をもって緊着可能にされるとともに、当該弾力に抗してキャップ付き容器から取外し可能にされる開封抑制具。
【請求項２】
前記筒状体が、自由状態で、容器外周部とキャップ外周部に沿って、それらの各外周部より小径の内周部を備える請求項１に記載の開封抑制具。
【請求項３】
前記筒状体の軸方向において容器外周部に緊着される側となる一端部に、使用者の手指によってつまみ持ちできる舌片状つまみ部が設けられる請求項１又は２に記載の開封抑制具。
【請求項４】
前記筒状体の外周面に設けられて、その周方向に延在する溝部が、該筒状体の軸方向の複数位置に並置される請求項１乃至３のいずれかに記載の開封抑制具。
【請求項５】
前記筒状体が透明体又は半透明体からなる請求項１乃至４のいずれかに記載の開封抑制具。
【請求項６】
前記筒状体が不透明体からなる請求項１乃至４のいずれかに記載の開封抑制具。
【発明の詳細な説明】
【技術分野】
【０００１】
本発明は、内容物を収容する容器と、該容器の口部に螺着したキャップとからなるキャップ付き容器に用いられる開封抑制具に関する。
【背景技術】
【０００２】
キャップ付き容器として、特許文献１に記載の如く、容器の口部に螺着されるキャップの外周を覆うように、キャップの周囲に回転自在に設けられる外キャップ（環状体）を有するものがある。外キャップの内周に設けた凸部をキャップの外周に設けた溝部に係脱可能にし、外キャップをキャップに対して軸方向に相対移動させることによって、外キャップがキャップを覆った状態でキャップと外キャップの係合・解離がなされるようにしたものである。
【０００３】
特許文献１に記載のキャップ付き容器によれば、キャップの容器の口部への螺着時に、外キャップとキャップとは係合状態にあって一体に回転でき、外キャップに加える回転操作によってキャップを容器の口部に螺着できる。容器の口部へのキャップの螺着後には、外キャップを下方へ押し込んで外キャップとキャップとの係合状態を解いておくことで、外キャップを回転操作しても該外キャップのみが空転してキャップ自体は回転しないため、乳幼児や認知症の人等がキャップを開けて内容物を誤飲したりする等がない。従って、開け方の解らない乳幼児や認知症の人等に対して安全性が確保されるとともに、開け方の解っている人は、外キャップを回転操作しつつ上方へ引っ張って前記凸部と溝部を係合させることにより、外キャップとキャップが一体となって回され、該キャップを容器の口部から取り外しできる。
【先行技術文献】
【特許文献】
【０００４】
【特許文献１】特開2015-81107号公報
【発明の概要】
【発明が解決しようとする課題】
【０００５】
しかしながら、特許文献１に記載のキャップ付き容器は、容器の開閉手段として、容器の口部に螺着されるキャップだけでなく、このキャップに係脱する外キャップを併せ具備することを必須としている。
【０００６】
従って、このようなキャップ付き容器では、誤飲のおそれのない消費者に利用される場合にも、当該容器にキャップと外キャップを組合せて提供する必要があり、その場合、外キャップが煩雑かつ無駄な存在になる。
【０００７】
本発明の課題は、一般のキャップ付き容器において、当該キャップ付き容器が開封抑制を必要とする場合にだけ、当該キャップ付き容器に付属させて用いられる開封抑制具を提供することにある。
【課題を解決するための手段】
【０００８】
請求項１に係る発明は、容器と、該容器の口部に螺着したキャップとからなるキャップ付き容器に用いられる開封抑制具であって、エラストマー製の筒状体からなり、容器の軸方向の少なくとも一部の外周からなる容器外周部と、キャップの軸方向の少なくとも一部の外周からなるキャップ外周部の双方に跨って、それらの両外周部に弾力をもって緊着可能にされるとともに、当該弾力に抗してキャップ付き容器から取外し可能にされるようにしたものである。
【発明の効果】
【０００９】
本発明に係る開封抑制具によれば、一般のキャップ付き容器において、当該キャップ付き容器が開封抑制を必要とする場合にだけ、当該キャップ付き容器に付属させて用いられ、開封抑制を図ることができる。
【図面の簡単な説明】
【００１０】
【図１】図１はキャップ付き容器の要部を示す半断面図である。
【図２】図２は第１実施形態の開封抑制具が緊着されたキャップ付き容器の要部を示す半断面図である。
【図３】図３は開封抑制具を示し、（Ａ）は全体図、（Ｂ）は断面図である。
【図４】図４は開封抑制具の取付け動作を示す模式図である。
【図５】図５は開封抑制具の取外し動作を示す模式図である。
【図６】図６は第２実施形態の開封抑制具が緊着されたキャップ付き容器の要部を示す半断面図である。
【図７】図７は開封抑制具を示し、（Ａ）は全体図、（Ｂ）は断面図である。
【図８】図８は開封抑制具の取付け手順を示す模式図である。
【図９】図９は開封抑制具の取外し手順を示す模式図である。
【発明を実施するための形態】
【００１１】
本発明が適用されるキャップ付き容器１００は、図１に示す如く、内容物を収容する容器１１０とキャップ１２０とから構成される。本明細書では、容器１１０を正立させた状態で、容器１１０の側を下側とし、キャップ１２０の側を上側とする。
【００１２】
容器１１０は、容器本体１１１に本体キャップ１１２を固定して構成され、キャップ１２０を本体キャップ１１２に螺着可能にしている。但し、容器１１０は本体キャップ１１２を備えることを必須とせず、キャップ１２０を容器本体１１１に直に固定するものでも良い。
【００１３】
容器本体１１１は、ポリプロピレン等の合成樹脂成形体からなり、胴部１１１Ａの上部の肩部１１１Ｂに連なる首部１１１Ｃの下端側外周部と中間外周部のそれぞれに環状フランジ部１１１Ｄと環状係止部１１１Ｅを設けている。容器本体１１１は首部１１１Ｃにおける環状フランジ部１１１Ｄの直下に環状くびれ部Ｐを形成して備える。
【００１４】
本体キャップ１１２は、ポリプロピレン等の合成樹脂成形体からなり、容器本体１１１における首部１１１Ｃの内径側に挿入される内筒部１１２Ａと、内筒部１１２Ａの軸方向中間部に結合されて該内筒部１１２Ａの中間部外周を囲む外筒部１１２Ｂを有し、外筒部１１２Ｂの下端内周部に設けた環状係合部１１２Ｃを容器本体１１１の環状係止部１１１Ｅに打ち込み固定可能にしている。本実施形態の本体キャップ１１２は、内筒部１１２Ａの底部に内容物の注出筒１１２Ｄを有する。本体キャップ１１２の内筒部１１２Ａは容器１１０の口部１１３を構成する。
【００１５】
キャップ１２０は、本体キャップ１１２の内筒部１１２Ａにおける外筒部１１２Ｂより上方に突出している部分の外周おねじ部１１２Ｅに螺着する内周ねじ部１２１Ａを備えた環状筒部１２１と、環状筒部１２１の上端部から内方に延在する環状面１２１Ｂに結合された有底筒状の計量筒部１２２を有する。計量筒部１２２は、環状筒部１２１よりも軸方向の上側及び下側に突出し、環状筒部１２１の内周ねじ部１２１Ａを本体キャップ１１２の外周おねじ部１１２Ｅに螺着させたときに、その開口部の側を本体キャップ１１２の内筒部１１２Ａの内側に配置し、本体キャップ１１２の注出筒１１２Ｄを該計量筒部１２２の内側に挿入させる。キャップ１２０は、計量筒部１２２の内部を容器１１０から注出される内容物のための計量空間として用いるものであり、計量した内容物のレベルを外から視認可能にするために、透明体又は半透明体からなることが好ましい。
【００１６】
（第１実施形態）
キャップ付き容器１００は、乳幼児や認知症の人等による内容物の誤飲を防止する必要があるとき、図２に示す如く、開封抑制具１０を付属させて用いる。
【００１７】
開封抑制具１０は、図２、図３に示す如く、シリコーンゴム、又は天然ゴム等のエラストマー製の薄肉の筒状体１１からなる。筒状体１１の厚みは、好ましくは０．３乃至１．０mm、更に好ましくは０．５乃至０．８mmである。開封抑制具１０の筒状体１１は、図２に示す如く、容器本体１１１に本体キャップ１１２が固定されて構成される容器１１０の軸方向の少なくとも一部（本実施形態では容器本体１１１の肩部１１１Ｂ乃至首部１１１Ｃの環状フランジ部１１１Ｄの範囲、及び本体キャップ１１２の外筒部１１２Ｂの範囲）の外周からなる容器外周部１１０Ａと、キャップ１２０の軸方向の少なくとも一部（本実施形態ではキャップ１２０の環状筒部１２１の範囲）の外周からなるキャップ外周部１２０Ａの双方に跨って被着され、それらの両外周部１１０Ａ、１２０Ａに弾力をもって緊着可能にされるとともに、当該弾力に抗してキャップ付き容器１００から取外し可能にされる。キャップ付き容器１００において、容器外周部１１０Ａとキャップ外周部１２０Ａとは隣接している。
【００１８】
開封抑制具１０の筒状体１１は、容器外周部１１０Ａとキャップ外周部１２０Ａへ緊着される前の自由状態で、キャップ付き容器１００の容器外周部１１０Ａとキャップ外周部１２０Ａの輪郭に沿って、それらの各外周部１１０Ａ、１２０Ａに対応するか所をそれらの各外周部１１０Ａ、１２０Ａより小径とする内周部１１ｉを備える（図３）。これにより、筒状体１１は、各外周部１１０Ａ、１２０Ａに被着される過程で、それらの外周部１１０Ａ、１２０Ａのそれぞれに対応する部分が概ね一様に弾性変形的に拡径され、その被着後にはその弾性変形の復元力に起因する弾力をもってそれらの各外周部１１０Ａ、１２０Ａに緊着（ぴったりとくっつくこと）するものになる。
【００１９】
尚、開封抑制具１０の筒状体１１は、本実施形態では、容器外周部１１０Ａとキャップ外周部１２０Ａとが軸方向で隣接するものとしたが、キャップ付き容器１００（容器１１０及びキャップ１２０）の形態によっては、容器外周部１１０Ａとキャップ外周部１２０Ａの間に間隔があったり、他の部材が介在することもあり得る。
【００２０】
また、本実施形態のキャップ付き容器１００では、容器本体１１１の環状フランジ部１１１Ｄと本体キャップ１１２の外筒部１１２Ｂにおける下端側に形成された環状フランジ部１１２Ｆとが、互いに近接していて、それらに対して上下に隣接する部位よりも大径の膨出状部Ｋ1を呈している。また、本体キャップ１１２の上記環状フランジ部１１２Ｆを除いた外筒部１１２Ｂとキャップ１２０の環状筒部１２１とが、互いに近接していて上記膨出状部Ｋ1より小径で、本体キャップ１１２の側からキャップ１２０の側に向けて連続的に僅かに縮径されるテーパ状部Ｋ2を呈している。これにより、開封抑制具１０の筒状体１１は、キャップ付き容器１００の膨出状部Ｋ1に対応しつつ、より下方に延びる下端側の大径部１１Ａと、テーパ状部Ｋ2に対応する上端側のテーパ状小径部１１Ｂとを有する。筒状体１１は、大径部１１Ａ内で小径部１１Ｂとの境界部に、本体キャップ１１２の環状フランジ部１１２Ｆに軸方向の上方から突き当て可能になる段差部１１Ｃを形成して備える。
【００２１】
また、開封抑制具１０の筒状体１１は、本実施形態では、使用者がキャップ付き容器１００の容器外周部１１０Ａとキャップ外周部１２０Ａに該筒状体１１を取付けたり、取外す際に、該筒状体１１を手指でつまむ等して取扱い容易とするため、両端部を開口状にしている。そして、筒状体１１の軸方向において、容器外周部１１０Ａに緊着される側となる下端側（大径部１１Ａ）の開口部１２と、キャップ外周部１２０Ａに緊着される側となる上端側（小径部１１Ｂ）の開口部１３の各縁部１２Ｅ、１３Ｅを径方向外方に向けて厚肉化した厚肉状縁部としている。開封抑制具１０は、キャップ付き容器１００の軸方向で、容器１１０における容器本体１１１の肩部１１１Ｂの側からキャップ１２０の環状筒部１２１の側に至るまでの長さ範囲に被着されて、容器外周部１１０Ａとキャップ外周部１２０Ａに緊着されるものになる。このとき、大径部１１Ａの縁部１２Ｅは容器本体１１１の肩部１１１Ｂに沿う位置に配置され、小径部１１Ｂの縁部１３Ｅはキャップ１２０における環状筒部１２１の環状面１２１Ｂに対する概ね同レベル（環状縁部１２１の上端面より僅かに下位又は僅かに上位をなすレベル）に配置される。
【００２２】
また、開封抑制具１０は、図３（Ａ）に示す如く、筒状体１１の下端部（大径部１１Ａの側の下端部）に舌片状つまみ部１４を設けている。本実施形態の開封抑制具１０は、筒状体１１の下端側の１つの直径方向で相対する２つの円弧状部を切欠いた切欠部１１Ｄとし、筒状体１１の下端側（大径部１１Ａ）の他の直径方向で切欠かれずに相対する２つの円弧状部のそれぞれを舌片状つまみ部１４とする。このとき、筒状体１１の下端側の開口部１２を形成する厚肉状縁部１２Ｅは、舌片状つまみ部１４の存在範囲にのみ形成されるものになり、当該舌片状つまみ部１４の先端外縁部を構成する。各舌片状つまみ部１４は、開封抑制具１０をキャップ付き容器１００の容器１１０とキャップ１２０に着脱するときに、使用者の手指でつまみ持ち、筒状体１１を拡径させつつキャップ付き容器１００の軸方向下方に引きずりおろしたり、キャップ付き容器１００の軸方向上方に引き上げることの操作部になる。
【００２３】
また、開封抑制具１０は、筒状体１１の外周面における軸方向の複数位置に、その周方向に近接する溝部１５を並置して設けている。筒状体１１の軸方向で近接して並置される複数条の溝部１５は、互いに多段状をなす多段状部１６を形成する。多段状部１６は、開封抑制具１０をキャップ付き容器１００の容器１１０とキャップ１２０に着脱するときに、使用者の手指で筒状体１１をしごくことの操作部になり、あるいは筒状体１１をめくり上げるための折り目にもなり得る。溝部１５及び多段状部１６は、筒状体１１の外周面の軸方向に沿う全部、もしくは上部、下部又は中間部のいずれに設けることもできる。溝部１５及び多段状部１６は、筒状体１１の外周面の軸方向に沿う中間部に設けることにより、該筒状体１１を効果的にめくり上げ可能にするための折り目になり得る。尚、開封抑制具１０における溝部１５及び多段状部１６は、各外周部１１０Ａ、１２０Ａに対する密着性の点で筒状体１１の内周面にはない方が良い。
【００２４】
尚、開封抑制具１０の筒状体１１は、透明体又は半透明体のエラストマーから構成されても良く、不透明体のエラストマーから構成されても良い。
【００２５】
以下、キャップ付き容器１００に対する開封抑制具１０の取付け動作について説明する（図４）。
【００２６】
(1)キャップ付き容器１００（容器１１０及びキャップ１２０)の上部に開封抑制具１０を持ち込む(図４（Ａ）)。
【００２７】
(2)開封抑制具１０の筒状体１１を容器１１０の容器外周部１１０Ａとキャップ外周部１２０Ａに被せ、該筒状体１１の下端側の直径方向で相対するように設けてある各舌片状つまみ部１４を両手の手指でつまんで外方に引っ張り、該筒状体１１を拡径させつつ、キャップ付き容器１００の軸方向下方に引きずりおろす(図４（Ｂ）)。
【００２８】
(3)キャップ付き容器１００の容器外周部１１０Ａとキャップ外周部１２０Ａにある程度被着された開封抑制具１０の筒状体１１を、それらの容器外周部１１０Ａとキャップ外周部１２０Ａの軸方向下方に更に引きずりおろす(図４（Ｃ）)。このとき、筒状体１１の外周面に設けた複数条の溝部１５からなる多段状部１６を手指でキャップ付き容器１００の軸方向下方にしごいても良く、筒状体１１を容器外周部１１０Ａとキャップ外周部１２０Ａに更に引きずりおろして被着させ緊着させる。
【００２９】
(4)筒状体１１の緊着完了状態(図４（Ｄ）)で、筒状体１１の大径部１１Ａは、キャップ付き容器１００の前述した膨出状部Ｋ1に密着して被着され、かつ容器本体１１１の首部１１１Ｃにおける環状フランジ部１１１Ｄの直下のくびれ状部Ｐに食い込むように被着されるとともに、その下端部の各舌片状つまみ部１４が容器本体１１１の肩部１１１Ｂに沿うように外方に大きく引き伸ばされて該肩部１１１Ｂに密着して被着され、該舌片状つまみ部１４の厚肉状縁部１２Ｅが容器本体１１１の肩部１１１Ｂに添う位置から僅かに外方に張り出して配置される。また、筒状体１１の小径部１１Ｂが、キャップ付き容器１００の前述したテーパ状部Ｋ2に密着して被着される。筒状体１１の段差部１１Ｃは、本体キャップ１１２の環状フランジ部１１２Ｆに軸方向の上方から突き当て可能とされる。これにより、開封抑制具１０は、キャップ付き容器１００に緊着状態で取付けられ、キャップ付き容器１００から取外しできず、キャップ１２０を開封困難にする。
【００３０】
尚、開封抑制具１０のキャップ付き容器１００への取付けに際し、開封抑制具１０は、つまみ部１４を備えることを必須とせず、筒状体１１の下端部を掴んだり、溝部１５及び多段状部１６をしごいてキャップ付き容器１００に取付けられるものでも良い。
【００３１】
次に、キャップ付き容器１００に緊着されている開封抑制具１０の取外し動作について説明する(図５)。
【００３２】
(1)容器１１０の容器外周部１１０Ａとキャップ１２０のキャップ外周部１２０Ａに緊着されている筒状体１１の各舌片状つまみ部１４を両手の手指でつまむ。このとき、容器本体１１１の肩部１１１Ｂから外方に僅かに張り出ている各舌片状つまみ部１４の厚肉状縁部１２Ｅを手指でつまんで外方に引っ張り、該筒状体１１を拡径させつつ、キャップ付き容器１００の軸方向上方に引き上げる(図５)。
【００３３】
(2)上記(1)による筒状体１１の引き上げ時に、筒状体１１の外周面に設けてある段差部１１Ｃを折り目(図５の１１Ｅ)として、該筒状体１１の下端側を上方にめくり上げる(図５)。
【００３４】
(3)上記(1)及び(2)により、筒状体１１がキャップ付き容器１００の軸方向上方に引き上げられて容器外周部１１０Ａ及びキャップ外周部１２０Ａから離脱され、開封抑制具１０がキャップ付き容器１００から取外し除去されるものになる。
【００３５】
従って、本実施形態の開封抑制具１０によれば、以下の作用効果を奏する。
(a)開封抑制具１０は、一般のキャップ付き容器１００において、当該キャップ付き容器１００が誤飲、誤使用の防止等のため開封抑制を必要とする場合にだけ、当該キャップ付き容器１００に付属させて用いられる。
【００３６】
開封抑制具１０を構成するエラストマー製の筒状体１１は、キャップ付き容器１００の容器外周部１１０Ａとキャップ外周部１２０Ａの双方に跨って、それらの両外周部１１０Ａ、１２０Ａに弾力をもって緊着され、当該開封抑制具１０のキャップ付き容器１００に対する着脱構造の認識や、当該弾力に抗し得る取外し操作力がない人（乳幼児や認知症の人等）には、当該キャップ付き容器１００から容易には取外しできない。
【００３７】
即ち、乳幼児や認知症の人等が開封抑制具１０の上部をつかんで該開封抑制具１０の上から仮にキャップ１２０を回そうとしても、開封抑制具１０の筒状体１１はその下部が容器外周部１１０Ａに緊着していて、その下部乃至上部の全体が容器１１０に対して容易には相対回転できず、結果としてキャップ１２０を回すこと、換言すればキャップ１２０を容器１１０の口部１１３から取外すことができず、乳幼児や認知症の人等がキャップ１２０を開けて内容物を誤飲又は誤使用等するおそれがない。
【００３８】
一方、開封抑制具１０のキャップ付き容器１００に対する着脱構造の認識や取外し操作力がある一般人は、当該開封抑制具１０をキャップ付き容器１００から取外し除去した後、キャップ１２０を容器１１０の口部１１３から取外して内容物を注出入できる。
【００３９】
(b)開封抑制具１０を構成する筒状体１１が、自由状態で、容器外周部１１０Ａとキャップ外周部１２０Ａの輪郭に沿って、それらの各外周部１１０Ａ，１２０Ａに対応するか所をそれらの各外周部１１０Ａ、１２０Ａより小径とする内周部１１１を備える。従って、開封抑制具１０は、容器外周部１１０Ａとキャップ外周部１２０Ａの双方に対し、確実に、弾力をもって緊着し得るものになる。
【００４０】
(c)開封抑制具１０を構成する筒状体１１を容器外周部１１０Ａとキャップ外周部１２０Ａに被せた状態で、該筒状体１１の一端部に設けた舌片状つまみ部１４を手指でつまんで該筒状体１１を拡径させつつ、キャップ付き容器１００の軸方向下方に引きずりおろすことにより、該筒状体１１を容器外周部１１０Ａ及びキャップ外周部１２０Ａにスムースに被着させて緊着させることができる。
【００４１】
また、容器外周部１１０Ａ及びキャップ外周部１２０Ａに緊着されている筒状体１１の取外し時には、該筒状体１１の上記舌片状つまみ部１４を手指でつまんで該筒状体１１を拡径させつつ、キャップ付き容器１００の軸方向上方に引き上げることにより、該筒状体１１を容器外周部１１０Ａ及びキャップ外周部１２０Ａからスムーズに取外しできる。
【００４２】
(d)開封抑制具１０を構成する筒状体１１を容器外周部１１０Ａとキャップ外周部１２０Ａに被せた状態で、該筒状体１１の外周面に設けた複数条の溝部１５をキャップ付き容器１００の軸方向下方にしごくことにより、該筒状体１１を容器外周部１１０Ａ及びキャップ外周部１２０Ａにスムーズに被着させて緊着させることができる。
【００４３】
また、容器外周部１１０Ａとキャップ外周部１２０Ａに緊着されている筒状体１１を、その外周面に設けた複数条の溝部１５のいずれかを折り目としてめくり上げることもでき、該筒状体１１を容器外周部１１０Ａ及びキャップ外周部１２０Ａからスムーズに取外しできる。
【００４４】
(e)開封抑制具１０を構成する筒状体１１が透明体又は半透明体からなるとき、乳幼児や認知症の人等は、開封抑制具１０の存在に気づきにくいため、当該開封抑制具１０をキャップ付き容器１００から取外してキャップ１２０を取外し可能にすることの認識を生じにくく、内容物の誤飲又は誤使用等を一層防止できる。
【００４５】
(f)開封抑制具１０を構成する筒状体１１が不透明体からなるとき、乳幼児や認知症の人等は、キャップ１２０の存在を視認できないため、キャップ１２０を取外すこと自体を思いつきにくく、内容物の誤飲又は誤使用等を防止できる。
【００４６】
（第２実施形態）
第２実施形態は、図６に示す如く、第１実施形態におけると同様のキャップ付き容器１００に、第１実施形態の開封抑制具１０に代わる開封抑制具２０を用いたものである。
【００４７】
開封抑制具２０は、図７に示す如く、シリコーンゴム、又は天然ゴム等のエラストマー製の厚肉の筒状体２１からなる。開封抑制具２０の筒状体２１は、容器本体１１１に本体キャップ１１２が固定されて構成される容器１１０の軸方向の少なくとも一部（本実施形態では容器本体１１１の胴部１１１Ａ乃至首部１１１Ｃの環状フランジ部１１１Ｄの範囲、及び本体キャップ１１２の外筒部１１２Ｂの範囲）の外周からなる容器外周部１１０Ａと、キャップ１２０の軸方向の少なくとも一部（本実施形態ではキャップ１２０の環状筒部１２１の範囲）の外周からなり、該容器外周部１１０Ａに隣接するキャップ外周部１２０Ａの双方に跨って被着され、それらの両外周部１１０Ａ、１２０Ａに弾力をもって緊着可能にされるとともに、当該弾力に抗してキャップ付き容器１００から取外し可能にされる。筒状体２１の厚みは、好ましくは１．０乃至２．５mm、更に好ましくは１．３乃至２．０mmである。
【００４８】
開封抑制具２０の筒状体２１は、容器外周部１１０Ａとキャップ外周部１２０Ａへ緊着される前の自由状態で、キャップ付き容器１００の容器外周部１１０Ａとキャップ外周部１２０Ａの輪郭に沿って、それらの各外周部１１０Ａ、１２０Ａより小径の内周部２１ｉを備える（図７）。これにより、筒状体２１は、各外周部１１０Ａ、１２０Ａに被着される過程で、それらの外周部１１０Ａ、１２０Ａのそれぞれに対応する部分が概ね一様に弾性変形的に拡径され、その被着後にはその弾性変形の復元力に起因する弾力をもってそれらの各外周部１１０Ａ、１２０Ａに緊着（ぴったりとくっつくこと）するものになる。
【００４９】
また、本実施形態のキャップ付き容器１００は、第１実施形態で前述した通り、容器本体１１１の環状フランジ部１１１Ｄと本体キャップ１１２の外筒部１１２Ｂにおける下端側に形成された環状フランジ部１１２Ｆとが、互いに近接していて、それらに対して上下に隣接する部位よりも大径の膨出状部Ｋ1を呈している。また、本体キャップ１１２の上記環状フランジ部１１２Ｆを除いた外筒部１１２Ｂとキャップ１２０の環状筒部１２１とが、互いに近接していて上記膨出状部Ｋ1より小径で、本体キャップ１１２の側からキャップ１２０の側に向けて連続的に僅かに縮径されるテーパ状部Ｋ2を呈している。
【００５０】
そして、開封抑制具２０の筒状体２１は、キャップ付き容器１００における容器本体１１１の胴部１１１Ａに対応する大径筒部２１Ａと、肩部１１１Ｂに対応するテーパ状大径部２１Ｂと、上述の膨出状部Ｋ1及びテーパ状部Ｋ2に対応するテーパ状小径部２１Ｃと、キャップ１２０の環状筒部１２１から上方に突出している計量筒部１２２に対応する小径筒部２１Ｄとを有する。
【００５１】
更に、筒状体２１は、テーパ状大径部２１Ｂとテーパ状小径部２１Ｃの境界部に、本体部本体部１１１の首部１１１Ｃにおける環状フランジ部１１１Ｄの直下のくびれ状部Ｐに径方向の外方から食い込み可能にされるくびれ状段差部２１Ｅを形成して備える。くびれ状段差部２１Ｅは、テーパ状外径部２１Ｂ及びテーパ状小径部２１Ｃの内外径よりも縮径されたＶ字断面状をなし、内周に形成されるＶ字状突起を容器本体１１の上述のくびれ状部Ｐに食い込み可能にする。また、内周に形成されるＶ字状突起に対応してくびれ状段差部２１Ｅの外周に形成されるＶ字状溝部は、開封抑制具２０をキャップ付き容器１００の容器１１０とキャップ１２０に着脱するときに、使用者の手指で筒状体１１をめくり上げるときの折り目（図９（Ａ））になり得る。また、筒状体２１は、テーパ状小径部２１Ｃと小径筒部２１Ｄの境界部に、キャップ１２０の環状筒部１２１における環状面１２１Ｂに軸方向の上方から突き当て可能になる平面状段差部２１Ｆを形成して備える。
【００５２】
また、開封抑制具２０の筒状体２１は、本実施形態では、使用者がキャップ付き容器１００の容器外周部１１０Ａとキャップ外周部１２０Ａに該筒状体２１を取付けたり、取外す際に、該筒状体２１を手指でつまむ等して取扱い容易とするため、両端部を開口状にしている。開封抑制具２０は、キャップ付き容器１００の軸方向で、容器１１０における容器本体１１１の胴部１１１Ａの側からキャップ１２０の計量筒部１２２の側に至るまでの長さ範囲に被着されて、容器外周部１１０Ａとキャップ外周部１２０Ａに緊着されるものになる。このとき、大径筒部２１Ａの下端部は容器本体１１１の胴部１１１Ａの側にまで配置され、小径筒部２１Ｄの上端部はキャップ１２０における計量筒部１２２の上端面に対する概ね同レベル（計量筒部１２２の上端面より僅かに下位又は僅かに上位をなすレベル）に配置される。
【００５３】
また、開封抑制具２０は、筒状体２１の下端部（大径筒部２１Ａの側の下端部）に舌片状つまみ部２４を設けている。本実施形態の開封抑制具２０は、筒状体２１の下端側の１つの直径方向で相対する２つの円弧状部を切欠いた切欠部２１Ｇとし、筒状体２１の大径筒部２１Ａの他の直径方向で切欠かれずに相対する２つの円弧状部のそれぞれを舌片状つまみ部２４とする。各舌片状つまみ部２４は、開封抑制具２０をキャップ付き容器１００の容器１１０とキャップ１２０に着脱するときに、使用者の手指でつまみ持ち、筒状体２１を拡径させつつキャップ付き容器１００の軸方向下方に引きずりおろしたり、キャップ付き容器１００の軸方向上方に引き上げることの操作部になる。
【００５４】
尚、開封抑制具２０の筒状体２１は、透明体又は半透明体のエラストマーから構成されても良く、不透明体のエラストマーから構成されても良い。
【００５５】
以下、キャップ付き容器１００に対する開封抑制具２０の取付け手順について説明する（図８）。
【００５６】
(1)キャップ付き容器１００（容器１１０及びキャップ１２０)の上部に開封抑制具２０を持ち込む(図８（Ａ）)。
【００５７】
(2)開封抑制具２０の筒状体２１を容器１１０の容器外周部１１０Ａとキャップ外周部１２０Ａに被せ、筒状体２１の外周部、例えばテーパ状小径部２１Ｃの上部の平面状段差部２１Ｆまわりに両手の手指を掛けて下方に押し込む（図８（Ｂ））。これにより、筒状体２１をキャップ付き容器１００の外周部に添わせるように拡径させつつ、該筒状体２１を容器外周部１１０Ａ及びキャップ外周部１２０Ａに被着させ緊着させる。
【００５８】
このとき、筒状体２１の大径筒部２１Ａに設けた各舌片状つまみ部２４を手指でつまんで該筒状体２１を拡径させつつ、キャップ付き容器１００の軸方向下方に引きずりおろすこともできる。
【００５９】
(3)筒状体２１の緊着完了状態（図８（Ｃ））で、筒状体２１の大径筒部２１Ａはキャップ付き容器１００における容器本体１１１の胴部１１１Ａに密着して被着され、筒状体２１のテーパ状大径部２１Ｂは容器本体１１１の肩部１１１Ｂに密着して被着され、筒状体２１のテーパ状小径部２１Ｃはキャップ付き容器１００の前述した膨出状部Ｋ1及びテーパ状部Ｋ2に密着して被着され、筒状体２１の小径筒部２１Ｄはキャップ１２０の計量筒部１２２に密着又は隙間を介して被着される。
【００６０】
このとき、大径筒部２１Ａに設けた各舌片状つまみ部２４は容器本体１１１の肩部１１１Ａに添う位置に被着され、テーパ状大径部２１Ｂとテーパ状小径部２１Ｃの境界部に設けたくびれ状段差部２１Ｅは容器本体１１１における環状フランジ部１１１Ｄの直下のくびれ状部Ｐに食い込み、テーパ状小径部２１Ｃと小径筒部２１Ｄの境界部に設けた平面状段差部２１Ｆはキャップ１２０の環状筒部１２１における環状面１２１Ｂの上に突き当て可能とされる。これにより、開封抑制具２０がキャップ付き容器１００に取付けられるものになる。
【００６１】
次に、キャップ付き容器１００に緊着されている開封抑制具２０の取外し手順（図９）について説明する(図９)。
【００６２】
(1)容器１１０の容器外周部１１０Ａとキャップ１２０のキャップ外周部１２０Ａに緊着されている筒状体２１の各舌片状つまみ部２４を両手の手指でつまんで外方に引っ張り上げる。これにより、筒状体２１は、テーパ状大径部２１Ｂとテーパ状小径部２１Ｃの境界部に設けてあるくびれ状段差部２１Ｅを折り目として、該筒状体２１の下端側（大径筒部２１Ａ及びテーパ状大径部２１Ｂ）が上方にめくり上げられる（図９（Ａ））。
【００６３】
(2)上記(1)で上方にめくり上げられた筒状体２１の大径筒部２１Ａ及びテーパ状大径部２１Ｂを、両手の手指で上方に押上げ、該筒状体２１をキャップ付き容器１００の軸方向上方に押し上げる（図９（Ｂ））。
【００６４】
このとき、筒状体２１の各舌片状つまみ部２４を両手の手指でつまんで外方に引張り、該筒状体２１を拡径させつつ、キャップ付き容器１００の軸方向上方に引き上げても良い。
【００６５】
(3)筒状体２１がキャップ付き容器１００の軸方向上方に押し上げ又は引き上げられて容器外周部１１０Ａ及びキャップ外周部１２０Ａから離脱され、開封抑制具２０がキャップ付き容器１００から取外し除去されるものになる（図９（Ｃ））。
【００６６】
尚、開封抑制具２０にあっても、開封抑制具１０におけると同様に、筒状体２１の外周面の軸方向複数位置にその周方向に延在される溝部を設けても良い。これにより、筒状体２１の外周面に複数条の溝部によって互いに多段状をなす多段状部を形成し、この多段状部が筒状体２１をキャップ付き容器１００に着脱するときに該筒状体２１をしごく操作部とされ、又は該筒状体２１をめくり上げるときの折り目の生成部とされても良い。
【００６７】
従って、本実施形態の開封抑制具２０は、開封抑制具１０と実質的に同様の特徴的構成を有するものであり、開封抑制具１０における前述(a)乃至(f)と実質的に同様の作用効果を奏する。
【産業上の利用可能性】
【００６８】
本発明に係る開封抑制具によれば、一般のキャップ付き容器において、当該キャップ付き容器が誤飲等を防止する必要がある場合にだけ、当該キャップ付き容器に付属させて用いられ、開封抑制を図ることができる。
【符号の説明】
【００６９】
１０、２０  開封抑制具
１１、２１  筒状体
１４、２４  舌片状つまみ部
１５  溝部
１００  キャップ付き容器１００
１１０  容器
１１０Ａ  容器外周部
１１３  口部
１２０  キャップ
１２０Ａ  キャップ外周部
【図１】
2019116286.tif 000003
【図２】
2019116286.tif 000004
【図３】
2019116286.tif 000005
【図４】
2019116286.tif 000006
【図５】
2019116286.tif 000007
【図６】
2019116286.tif 000008
【図７】
2019116286.tif 000009
【図８】
2019116286.tif 000010
【図９】
2019116286.tif 000011